(57)【要約】【課題】ノイズの影響と、部品点数の増加と、を抑制して基板を取り付けることができる印刷装置を提供する。【解決手段】媒体Ｍを給送する給送部１９を駆動する駆動源２０と、媒体Ｍに印刷する印刷部２３と、駆動源２０に信号を供給するための信号供給部４４、及び駆動源２０に電力を供給するための電力供給部４５を有する基板２５と、基板２５を覆う遮蔽部材２６と、幅方向Ｘに間隔を有し、遮蔽部材２６と連結して設けられた一対の側板３７，３８と、を備える。【選択図】図３
2018114647.tif 000002
【特許請求の範囲】
【請求項１】
媒体を給送する給送部を駆動する駆動源と、
前記媒体に印刷する印刷部と、
前記駆動源に信号を供給するための信号供給部、及び前記駆動源に電力を供給するための電力供給部を有する基板と、
前記基板を覆う遮蔽部材と、
幅方向に間隔を有し、前記遮蔽部材と連結して設けられた一対の側板と、
を備えることを特徴とする印刷装置。
【請求項２】
前記遮蔽部材は、前記幅方向と交差する方向に曲げられた曲げ部を有することを特徴とする請求項１に記載の印刷装置。
【請求項３】
前記曲げ部は、前記基板と前記駆動源とを接続する配線と、前記媒体がセットされるセット部と、を隔て、前記セット部側に曲げられていることを特徴とする請求項２に記載の印刷装置。
【請求項４】
前記遮蔽部材に対して前記基板を固定するための固定部材をさらに備え、
前記基板と前記駆動源とを接続する配線は、前記固定部材に取り付けられることを特徴とする請求項１〜請求項３のうち何れか一項に記載の印刷装置。
【請求項５】
前記固定部材は、金属により構成され、
前記固定部材の第１面には、前記信号供給部と前記駆動源とを接続する信号配線が取り付けられ、
前記第１面とは異なる第２面には、前記電力供給部と前記駆動源とを接続する電力配線が取り付けられることを特徴とする請求項４に記載の印刷装置。
【発明の詳細な説明】
【技術分野】
【０００１】
本発明は、例えばインクジェット式プリンターなどの印刷装置に関する。
【背景技術】
【０００２】
従来から、印刷装置の一例として、フィーダ部（給送部）により給送された媒体に印刷を行うプリンターがある。また、こうしたプリンターのなかには、互いに対向するように配置された一対のサイドフレーム（側板）と、サイドフレーム同士を連結する底フレームと、を備えたものがある（例えば特許文献１）。
【０００３】
このプリンターでは、制御回路を有する制御基板や、制御基板に電力を供給するための電源基板を、サイドフレームに取り付けていた。
【先行技術文献】
【特許文献】
【０００４】
【特許文献１】特開２００７−２６１１５４号公報
【発明の概要】
【発明が解決しようとする課題】
【０００５】
ところで、基板は、ノイズの影響を受けることがある。そのため、基板は、エンクロージャーとも呼ばれる筐体（遮蔽部材）に収容された状態でサイドフレームに取り付けられることがある。しかし、基板を筐体に収容する場合には、筐体の分だけ部品点数が増加してしまっていた。
【０００６】
なお、こうした課題は、基板が取り付けられるプリンターに限らず、基板が取り付けられる印刷装置においては、概ね共通したものとなっている。
本発明は、こうした実情に鑑みてなされたものであり、その目的は、ノイズの影響と、部品点数の増加と、を抑制して基板を取り付けることができる印刷装置を提供することにある。
【課題を解決するための手段】
【０００７】
以下、上記課題を解決するための手段及びその作用効果について記載する。
上記課題を解決する印刷装置は、媒体を給送する給送部を駆動する駆動源と、前記媒体に印刷する印刷部と、前記駆動源に信号を供給するための信号供給部、及び前記駆動源に電力を供給するための電力供給部を有する基板と、前記基板を覆う遮蔽部材と、幅方向に間隔を有し、前記遮蔽部材と連結して設けられた一対の側板と、を備える。
【０００８】
この構成によれば、基板を覆う遮蔽部材により一対の側板を連結する。そのため、一対の側板を連結する部材と、基板を覆う部材と、を遮蔽部材が兼ねる。したがって、ノイズの影響と、部品点数の増加と、を抑制して基板を取り付けることができる。
【０００９】
上記印刷装置において、前記遮蔽部材は、前記幅方向と交差する方向に曲げられた曲げ部を有することが好ましい。
この構成によれば、遮蔽部材は、曲げ部を有しているため、遮蔽部材の剛性を高めることができる。
【００１０】
上記印刷装置において、前記曲げ部は、前記基板と前記駆動源とを接続する配線と、前記媒体がセットされるセット部と、を隔て、前記セット部側に曲げられていることが好ましい。
【００１１】
この構成によれば、曲げ部は、セット部側に曲げられている。そして、配線は、曲げ部により形成される空間に配置される。そのため、空間を有効に利用し、配線を遮蔽部材により隠して配置できる。
【００１２】
上記印刷装置は、前記遮蔽部材に対して前記基板を固定するための固定部材をさらに備え、前記基板と前記駆動源とを接続する配線は、前記固定部材に取り付けられることが好ましい。
【００１３】
この構成によれば、基板を固定する固定部材に対して配線を取り付けることにより、配線を支持する部材と、基板を固定する部材と、を固定部材が兼ねる。したがって、部品点数の増加を抑制できる。
【００１４】
上記印刷装置において、前記固定部材は、金属により構成され、前記固定部材の第１面には、前記信号供給部と前記駆動源とを接続する信号配線が取り付けられ、前記第１面とは異なる第２面には、前記電力供給部と前記駆動源とを接続する電力配線が取り付けられることが好ましい。
【００１５】
この構成によれば、固定部材は、金属により構成されている。さらに、信号配線と電力配線は、固定部材における異なる面に取り付けられている。そのため、信号配線と電力配線とが及ぼしあうノイズの影響を低減できる。
【図面の簡単な説明】
【００１６】
【図１】印刷装置の一実施形態の斜視図。
【図２】印刷装置の内部を示す側断面模式図。
【図３】正面側から印刷装置の内部を示す断面模式図。
【図４】基板のブロック図。
【図５】側板と遮蔽部材の斜視図。
【図６】遮蔽部材の側断面模式図。
【発明を実施するための形態】
【００１７】
以下、印刷装置の一実施形態について図面を参照しながら説明する。
なお、以下の説明では、図１に示す印刷装置１１が水平面上に置かれているものとして上方向と下方向（鉛直方向）に沿う方向を上下方向Ｚとし、水平面に沿う方向を幅方向Ｘ及び奥行方向Ｙとして図示する。すなわち、幅方向Ｘ、奥行方向Ｙ、及び上下方向Ｚは、それぞれ異なる方向であり、相互に交差（好ましくは直交）する。また、奥行方向Ｙにおける一端側を前側、一端側とは反対の他端側を後側という。
【００１８】
図１に示すように、印刷装置１１は、略直方体状の筐体１２を備えている。筐体１２の上面には、後側に位置する第１蓋１３と、前側に位置する第２蓋１４と、が開閉可能に設けられている。筐体１２の上面における第２蓋１４と幅方向Ｘで隣り合う位置には、印刷装置１１の各種の操作を行うための操作部１５が設けられている。そして、筐体１２の前面には、印刷された媒体Ｍ（図２参照）が排出される排出口１６が設けられている。
【００１９】
図２に示すように、筐体１２内には、媒体Ｍを円筒状に巻き重ねたロールＲがセットされるセット部１８と、セット部１８から媒体Ｍを給送する給送部１９と、給送部１９を駆動するモーターなどの駆動源２０と、が設けられている。セット部１８は、閉位置（図２参照）に位置する第１蓋１３により被覆されている。そして、第１蓋１３が開位置（図示略）に位置すると、セット部１８は、外部に露出されてロールＲをセットもしくは交換可能となる。
【００２０】
印刷装置１１は、給送された媒体Ｍを搬送する搬送部２１と、搬送される媒体Ｍを支持する支持部２２と、媒体Ｍに印刷する印刷部２３と、印刷された媒体Ｍを切断する切断部２４と、を備えている。そして、セット部１８の下（重力方向）側には、印刷装置１１における各機構の駆動を統括的に制御する基板２５と、基板２５を覆って電磁波を遮蔽することが可能な材質で形成された遮蔽部材２６と、が設けられている。遮蔽部材２６は、セット部１８と基板２５が設けられる空間とを隔てている。そのため、遮蔽部材２６は、媒体Ｍをセットする場合に開閉される第１蓋１３側となる上方から基板２５を被覆することで、ユーザーに対して基板２５を遮蔽している。
【００２１】
給送部１９は、ロールＲを回転可能に保持し、駆動源２０により駆動されることでロールＲを一方向（図２では反時計方向）に回転させる。このように給送部１９は、ロールＲを巻き解くことにより媒体Ｍを給送する。
【００２２】
搬送部２１は、媒体Ｍに搬送力を付与する搬送ローラー２８と、媒体Ｍを搬送ローラー２８に押さえ付ける従動ローラー２９と、を備えている。また、印刷装置１１は、搬送ローラー２８を回転駆動する搬送モーター３０を備えている。搬送モーター３０が駆動されると、媒体Ｍを挟持する搬送ローラー２８と従動ローラー２９とが回転する。このように搬送部２１は、搬送方向の上流側となる給送部１９側から下流側となる排出口１６側に向かって媒体Ｍを搬送する。
【００２３】
印刷部２３は、幅方向Ｘ（走査方向）に沿って延びるガイド軸３２と、ガイド軸３２に移動可能に支持されるキャリッジ３３と、キャリッジ３３に支持されるとともに媒体Ｍにインクを吐出する複数のノズル（図示略）を有した吐出ヘッド３４と、を備えている。さらに、印刷装置１１は、キャリッジ３３を幅方向Ｘに沿って往復移動させるキャリッジモーター３５を備えている。キャリッジモーター３５が駆動されると、キャリッジ３３と共に吐出ヘッド３４が幅方向Ｘに沿って移動し、印刷部２３は、吐出ヘッド３４からインクを吐出して媒体Ｍに印刷する。
【００２４】
図３に示すように、印刷装置１１は、幅方向Ｘに間隔を有して設けられた一対の側板３７，３８を備えている。本実施形態の側板３７，３８は、それぞれ上下方向Ｚ及び奥行方向Ｙに沿うように互いに略平行に設けられ、幅方向Ｘに沿って設けられた遮蔽部材２６により連結されている。そして、幅方向Ｘにおいて、第１側板３７側には、駆動源２０及び搬送モーター３０が設けられている。また、第２側板３８側には、キャリッジモーター３５が設けられている。
【００２５】
基板２５は、一対の側板３７，３８の間となる内側領域に設けられる本体部４０と、無線通信を行う通信部４１と、を備えている。通信部４１は、第１側板３７に形成された切欠部４２を介して一対の側板３７，３８の外側となる領域であって第１側板３７と筐体１２との間の領域である外側領域に設けられている。なお、内側領域とは、遮蔽部材２６により覆われた領域であり、外側領域とは、遮蔽部材２６により覆われない領域である。
【００２６】
図４に示すように、基板２５は、駆動源２０、搬送モーター３０、及びキャリッジモーター３５に信号を供給するための信号供給部４４と、駆動源２０、搬送モーター３０、及びキャリッジモーター３５に電力を供給するための電力供給部４５と、を有している。なお、信号供給部４４及び電力供給部４５は、本体部４０に設けられ、遮蔽部材２６により覆われている。そして、信号供給部４４には、図４に点線矢印で示す信号配線４６（４６ａ〜４６ｃ）が接続されていると共に、電力供給部４５には、図４に実線矢印で示す電力配線４７（４７ａ〜４７ｃ）が接続されている。
【００２７】
具体的には、印刷装置１１は、信号供給部４４と駆動源２０とを接続する第１信号配線４６ａと、信号供給部４４と搬送モーター３０とを接続する第２信号配線４６ｂと、信号供給部４４とキャリッジモーター３５とを接続する第３信号配線４６ｃと、を備えている。そして、信号供給部４４は、信号配線４６を通じて駆動源２０、キャリッジモーター３５、搬送モーター３０に、駆動速度や駆動方向などの情報を示す信号を供給する。
【００２８】
また、印刷装置１１は、電力供給部４５と駆動源２０とを接続する第１電力配線４７ａと、電力供給部４５と搬送モーター３０とを接続する第２電力配線４７ｂと、電力供給部４５とキャリッジモーター３５とを接続する第３電力配線４７ｃと、を備えている。そして、電力供給部４５は、電力配線４７を通じて駆動源２０、キャリッジモーター３５、搬送モーター３０に、駆動に必要な電力を供給する。
【００２９】
図５に示すように、遮蔽部材２６は、幅方向Ｘに沿う一部（後端部）が幅方向Ｘと交差する上方向に斜めに曲げられた曲げ部４９を有する。曲げ部４９は、幅方向Ｘに亘って設けられている。具体的には、曲げ部４９は、曲げ部４９の基端となる曲げ線５０が幅方向Ｘに沿って延びるように、且つ第１側板３７から第２側板３８まで延びるように形成されている。さらに、一対の側板３７，３８には、切断部２４を幅方向Ｘに沿って移動可能に支持するカッターフレーム５１が連結されている。
【００３０】
図６に示すように、曲げ部４９は、先端（後端）が給送部１９に近づくように、セット部１８側に曲げられている。曲げ部４９の下側には、第１信号配線４６ａ及び第２信号配線４６ｂと、第１電力配線４７ａ及び第２電力配線４７ｂと、が通されている。したがって、曲げ部４９は、基板２５と駆動源２０とを接続する配線（第１信号配線４６ａ及び第１電力配線４７ａ）と、媒体Ｍがセットされるセット部１８と、を隔てている。
【００３１】
印刷装置１１は、遮蔽部材２６に対して基板２５を固定するための板状の固定部材５３を備えている。固定部材５３は、金属により構成されている。さらに、固定部材５３は、ねじ５４により遮蔽部材２６の下面に固定されている。
【００３２】
固定部材５３は、曲げ部４９側に曲げられた屈曲部５６を有しており、屈曲部５６を境として互いに異なる方向を向く面がそれぞれ第１面５３ａと第２面５３ｂとされている。なお、本実施形態の第１面５３ａと第２面５３ｂは、遮蔽部材２６とは反対の方向を向いて、遮蔽部材２６と対向しない面である。具体的には、第１面５３ａは、後方を向く面であり、第２面５３ｂは、下方を向く面である。
【００３３】
さらに、印刷装置１１は、固定部材５３に対して第１信号配線４６ａ及び第２信号配線４６ｂを取り付けるための信号線取付部５７と、固定部材５３に対して第１電力配線４７ａ及び第２電力配線４７ｂを取り付けるための電力線取付部５８と、を備えている。そして、信号線取付部５７は、第１面５３ａに取り付けられ、電力線取付部５８は、第２面５３ｂに取り付けられている。
【００３４】
そのため、固定部材５３の第１面５３ａには、第１信号配線４６ａと第２信号配線４６ｂとが取り付けられている。また、第１面５３ａとは異なる第２面５３ｂには、第１電力配線４７ａと第２電力配線４７ｂとが取り付けられている。
【００３５】
次に、印刷装置１１の作用について説明する。
信号供給部４４が駆動源２０を駆動する信号を送信し、電力供給部４５が駆動源２０に電力を供給すると、駆動源２０が給送部１９を駆動して媒体Ｍを給送する。このとき、第１電力配線４７ａや駆動源２０からはノイズが生じるが、遮蔽部材２６や固定部材５３により基板２５や第１信号配線４６ａへのノイズの影響は低減されている。
【００３６】
上記実施形態によれば、以下のような効果を得ることができる。
（１）基板２５を覆う遮蔽部材２６により一対の側板３７，３８を連結する。そのため、一対の側板３７，３８を連結する部材と、基板２５を覆う部材と、を遮蔽部材２６が兼ねる。したがって、ノイズの影響と、部品点数の増加と、を抑制して基板２５を取り付けることができる。
【００３７】
（２）遮蔽部材２６は、曲げ部４９を有しているため、遮蔽部材２６の剛性を高めることができる。
（３）曲げ部４９は、セット部１８側に曲げられている。そして、第１信号配線４６ａは、曲げ部４９により形成される空間に配置される。そのため、空間を有効に利用し、第１信号配線４６ａ及び第１電力配線４７ａを遮蔽部材２６により隠して配置できる。
【００３８】
（４）基板２５を固定する固定部材５３に対して第１信号配線４６ａ及び第１電力配線４７ａを取り付けることにより、第１信号配線４６ａ及び第１電力配線４７ａを支持する部材と、基板２５を固定する部材と、を固定部材５３が兼ねる。したがって、部品点数の増加を抑制できる。
【００３９】
（５）固定部材５３は、金属により構成されている。さらに、第１信号配線４６ａと第１電力配線４７ａは、固定部材５３における異なる面に取り付けられている。そのため、第１信号配線４６ａと第１電力配線４７ａとが及ぼしあうノイズの影響を低減できる。
【００４０】
（６）通信部４１は、遮蔽部材２６により覆われない外側領域に配置されているため、通信電波が遮蔽部材２６により遮られる虞を低減できる。
なお、上記実施形態は以下に示す変更例のように変更してもよい。また、上記実施形態と下記変更例とは、任意に組み合わせてもよい。
【００４１】
・第３信号配線４６ｃや第３電力配線４７ｃを固定部材５３に取り付けてもよい。また、信号配線４６や電力配線４７は、固定部材５３に取り付けなくてもよい。
・通信部４１、信号供給部４４、電力供給部４５を別々の基板として設け、配線やコネクターで互いに接続させてもよい。
【００４２】
・曲げ線５０は、幅方向Ｘと交差する方向に沿って、第１側板３７から第２側板３８まで延びるように形成されていてもよい。
・固定部材５３は、金属とは異なる材料で構成してもよい。例えば樹脂により構成してもよい。
【００４３】
・固定部材５３は、屈曲部５６を有していなくてもよい。例えば、信号配線４６と電力配線４７は、固定部材５３における同じ面に配置してもよい。また、固定部材５３において、遮蔽部材２６側の面に信号配線４６や電力配線４７を取り付けてもよい。例えば、固定部材５３側の面を第１面５３ａとし、遮蔽部材２６とは反対側の面を第２面５３ｂとしてもよい。そして、遮蔽部材２６と固定部材５３との間に信号配線４６もしくは電力配線４７を配置してもよい。
【００４４】
・固定部材５３を備えない構成としてもよい。例えば、基板２５、信号配線４６、及び電力配線４７は、遮蔽部材２６に対して取り付けてもよい。
・曲げ部４９は、セット部１８とは反対側に曲げられていてもよい。
【００４５】
・曲げ部４９は、信号配線４６及び電力配線４７と、セット部１８とを隔てなくてもよい。すなわち、例えば信号配線４６や電力配線４７は、遮蔽部材２６よりも上方に設けてもよい。
【００４６】
・遮蔽部材２６は、複数の曲げ部４９を有していてもよい。例えば、遮蔽部材２６を波状に形成してもよい。
・遮蔽部材２６は、曲げ部４９を有していなくてもよい。
【００４７】
・給送部１９は、単票紙などの切り離された状態の媒体が積層状にセットされるセット部から、媒体を一枚ずつ給送する例えばピックアップローラーとしてもよい。また、給送部１９は、外部から差し込まれた媒体を搬送部２１へ給送する給送ローラーとしてもよい。
【００４８】
・インクは、媒体Ｍに付着することで、この媒体Ｍに印刷することができるものであれば任意に選択することができる。例えば、インクは、顔料や金属粒子などの固形物からなる機能材料の粒子が溶媒に溶解、分散又は混合されたものなども含み、水性インク、油性インク、ジェルインク、ホットメルトインク等の各種組成物を包含するものとする。
【００４９】
・媒体Ｍは、紙、樹脂、金属、布、セラミック、ゴム、自然素材（木材や石など）や、これらの複合体としてもよい。また、媒体の厚みは、板、シート、フィルム、箔などとしてもよい。さらに、媒体の形状は、矩形や円形など任意の形状であってよい。すなわち、例えば紙と樹脂の複合体フィルム（樹脂含浸紙、樹脂コート紙など）、樹脂と金属の複合体フィルム（ラミネートフィルム）、織物、不織布、ディスク、回路基板などとしてもよい。
【００５０】
・印刷装置１１は、媒体にインクなどの液体やトナーなどの流体を付着させることにより文字や絵、写真などの画像を印刷する装置であって、シリアルプリンター、ラテラル式プリンター、ラインプリンター、ページプリンターなどとしてもよい。また、オフセット印刷装置、捺染印刷装置などとしてもよい。また、印刷装置は、少なくとも媒体に印刷する印刷機能を有していればよく、印刷機能以外の機能も併せ持つ複合機としてもよい。さらに、印刷装置は、３次元の曲面を有する媒体に印刷する装置であってもよい。
【符号の説明】
【００５１】
１１…印刷装置、１２…筐体、１３…第１蓋、１４…第２蓋、１５…操作部、１６…排出口、１８…セット部、１９…給送部、２０…駆動源、２１…搬送部、２２…支持部、２３…印刷部、２４…切断部、２５…基板、２６…遮蔽部材、２８…搬送ローラー、２９…従動ローラー、３０…搬送モーター、３２…ガイド軸、３３…キャリッジ、３４…吐出ヘッド、３５…キャリッジモーター、３７…第１側板、３８…第２側板、４０…本体部、４１…通信部、４２…切欠部、４４…信号供給部、４５…電力供給部、４６…信号配線、４６ａ…第１信号配線、４６ｂ…第２信号配線、４６ｃ…第３信号配線、４７…電力配線、４７ａ…第１電力配線、４７ｂ…第２電力配線、４７ｃ…第３電力配線、４９…曲げ部、５０…曲げ線、５１…カッターフレーム、５３…固定部材、５３ａ…第１面、５３ｂ…第２面、５４…ねじ、５６…屈曲部、５７…信号線取付部、５８…電力線取付部、Ｍ…媒体、Ｒ…ロール、Ｘ…幅方向、Ｙ…奥行方向、Ｚ…上下方向。
【図１】
2018114647.tif 000003
【図２】
2018114647.tif 000004
【図３】
2018114647.tif 000005
【図４】
2018114647.tif 000006
【図５】
2018114647.tif 000007
【図６】
2018114647.tif 000008